(57)【特許請求の範囲】
【請求項１】
ラベル貼付前の採血管を収容する収容装置と、
ラベルに印刷するラベル印刷装置と、
該ラベル印刷装置が印刷したラベルを採血管に貼付するラベル貼付装置と、
収容装置からラベル貼付装置へ採血管を移送する移送装置と、
少なくとも収容装置を収納する筐体とを備える採血管準備装置において、
前記収容装置は、
前記筐体内に固定される固定ケースと、
該固定ケースに対して離近移動可能に配設されて、固定ケースに近接して筐体内に収納される収納状態と、固定ケースから離間して筐体外に引き出される引出状態とに変換可能な可動ケースと、
固定ケースに設けられ、固定ケースに収容された採血管を移送装置に送出する送出機構と、
可動ケースに設けられ、可動ケースの収納状態で、可動ケースに収容された採血管を固定ケースに供給する供給状態と、固定ケースに供給しない供給停止状態とに変換可能な供給機構とを備えるものであり、
前記収容装置は、可動ケースの収納状態で、可動ケースの上側縁と固定ケースの上側縁が近接するよう構成されており、供給機構は、その供給状態で、可動ケース内の採血管を、可動ケースと固定ケースの近接する上側縁の高さまで揚送して固定ケース内へ送出するコンベアを備えることを特徴とする採血管準備装置。
【請求項２】
前記収容装置は、可動ケースの収納状態で、固定ケースから可動ケースを離間不能とするロック状態と、可動ケースを離間可能とする解除状態とに変換されるロック装置を備え、
少なくとも供給機構の供給状態ではロック装置がロック状態となり、筐体の外部に配設されたロック解除スイッチが操作されると、供給機構が供給停止状態となった後に、ロック装置が解除状態となるよう構成されたものであることを特徴とする請求項１に記載の採血管準備装置。
【請求項３】
前記収容装置は、固定ケース内の採血管の残量を検知する残量検知センサを備えており、可動ケースの収納状態で、固定ケース内の採血管の残量が所定の要供給レベルを下回ると供給機構が供給状態となり、固定ケース内の採血管の残量が所定の満杯レベルを上回ると供給機構が供給停止状態となるよう構成されていることを特徴とする請求項１又は請求項２に記載の採血管準備装置。
【発明の詳細な説明】
【技術分野】
【０００１】
本発明は、患者の採血に用いる採血管を準備する採血管準備装置に関する。
【背景技術】
【０００２】
病院等で患者の血液を採取する際に、採血作業をスムーズに行うために、使用する採血管にラベルを貼り、患者毎にトレイに載せておく採血管準備装置が知られている。特許文献１に記載の採血管準備装置は、採血管用のラベルに印刷し、採血管に貼り付けるラベル印字貼付手段と、ラベル貼付前の採血管を種類毎に収容する採血管収容ケースと、ラベル貼付前の採血管を、採血管収容手段からラベル印字貼付手段に移送する移送手段とを備えている。そして、かかる採血管準備装置では、ケース内の採血管が不足した場合には、採血管収容ケースをハウジングから引き出して採血管を補充するよう構成されている。
【先行技術文献】
【特許文献】
【０００３】
【特許文献１】特開２００９−７７７９６号公報
【発明の概要】
【発明が解決しようとする課題】
【０００４】
ところで、上記従来の採血管準備装置では、採血管収容ケースをハウジングから引き出すと、引き出した採血管収容ケースから採血管を取り込むことができなくなるため、ケースに採血管を補充している間は装置を稼動させることができない。採血管準備装置には、多数の収容ケースが配設されているため、各ケースに採血管を補充する度に装置を停止させるのは、装置の稼動効率を低下させる大きな要因となっていた。
【０００５】
本発明は、かかる現状に鑑みてなされたものであり、稼動を停止させることなく採血管を補充できる採血管準備装置の提供を目的とする。
【課題を解決するための手段】
【０００６】
本発明は、ラベル貼付前の採血管を収容する収容装置と、ラベルに印刷するラベル印刷装置と、該ラベル印刷装置が印刷したラベルを採血管に貼付するラベル貼付装置と、収容装置からラベル貼付装置へ採血管を移送する移送装置と、少なくとも収容装置を収納する筐体とを備える採血管準備装置において、前記収容装置は、前記筐体内に固定される固定ケースと、該固定ケースに対して離近移動可能に配設されて、固定ケースに近接して筐体内に収納される収納状態と、固定ケースから離間して筐体外に引き出される引出状態とに変換可能な可動ケースと、固定ケースに収容された採血管を移送装置に送出する送出機構と、可動ケースの収納状態で、可動ケースに収容された採血管を固定ケースに供給する供給状態と、固定ケースに供給しない供給停止状態とに変換可能な供給機構とを備えることを特徴とする採血管準備装置である。
【０００７】
かかる構成にあっては、固定ケースから移送装置へ採血管が送出される構成であるため、可動ケースを筐体から引き出しても、固定ケースに採血管が収容されていれば、採血管準備装置の稼働を停止させることなく可動ケースに採血管を補充することができ、また、引き出した可動ケースを筐体に収納すれば、可動ケースに補充した採血管を固定ケースに供給することができる。したがって、本発明によれば、採血管準備装置を稼動させたまま、採血管の補充作業を適切に行うことが可能となる。
【０００８】
また、本発明にあって、前記収容装置は、可動ケースの収納状態で、可動ケースの上側縁と固定ケースの上側縁が近接するよう構成されており、供給機構は、その供給状態で、可動ケース内の採血管を、可動ケースと固定ケースの近接する上側縁の高さまで揚送して固定ケース内へ送出するコンベアを備える構成が提案される。
【０００９】
かかる構成にあっては、固定ケースと可動ケースの上側縁を乗り越えるようにして、採血管を可動ケースから固定ケースに送出するため、固定ケースと可動ケースを略同じ高さ位置に配置することができ、収容装置をコンパクト化することが可能となる。また、コンベアをＯＮ・ＯＦＦすることで、供給機構の供給状態と供給停止状態を容易に切換可能となる。
【００１０】
また、本発明にあって、前記収容装置は、可動ケースの収納状態で、固定ケースから可動ケースを離間不能とするロック状態と、可動ケースを離間可能とする解除状態とに変換されるロック装置を備え、少なくとも供給機構の供給状態ではロック装置がロック状態となり、筐体の外部に配設されたロック解除スイッチが操作されると、供給機構が供給停止状態となった後に、ロック装置が解除状態となるよう構成されたものであることが提案される。
【００１１】
かかる構成にあっては、可動ケースから固定ケースへ採血管を送出している途中に、可動ケースが固定ケースから離間することがなくなるから、可動ケースから送出された採血管が固定ケース外に落下してしまうのを確実に防止できる。
【００１２】
また、本発明にあって、前記収容装置は、固定ケース内の採血管の残量を検知する残量検知センサを備えており、可動ケースの収納状態で、固定ケース内の採血管の残量が所定の要供給レベルを下回ると供給機構が供給状態となり、固定ケース内の採血管の残量が所定の満杯レベルを上回ると供給機構が供給停止状態となるよう構成されていることが提案される。
【００１３】
かかる構成にあっては、固定ケースの採血管の残量に応じて可動ケースから固定ケースに採血管が供給されることとなるため、固定ケース内に採血管を過不足なく収容可能となる。
【発明の効果】
【００１４】
以上に述べたように、本発明によれば、採血管準備装置の稼動を停止させることなく、収容装置に採血管を補充可能となるから、従来構成に比べて、採血管準備装置の稼働率を向上させることができる。
【図面の簡単な説明】
【００１５】
【図１】実施例の採血管準備装置１の斜視図である。
【図２】本体部２の斜視図である。
【図３】回収部３の斜視図である。
【図４】本体部２の内部構造を示す斜視図である。
【図５】図４から、収容装置５ａ，５ｂ及びラベル印刷貼付装置６の一部を分離して示す斜視図である。
【図６】ラベル印刷貼付装置６の斜視図である。
【図７】ラベル印刷貼付装置６の構造を示す説明図である。
【図８】フレーム１６及び下部移送装置２０の斜視図である。
【図９】下部移送装置２０の斜視図である。
【図１０】下部移送装置２０の上部拡大図である。
【図１１】下部移送装置２０の構造を示す説明図である。
【図１２】可動ケース３１を収納状態とした下部収容装置５ｂの斜視図である。
【図１３】可動ケース３１を引出状態とした下部収容装置５ｂの斜視図である。
【図１４】下部収容装置５ｂの構造を示す説明図である。
【図１５】下部収容装置５ｂの構造を示す説明図である。
【図１６】上部収容装置５ａの構造を示す説明図である。
【発明を実施するための形態】
【００１６】
本発明の実施形態を、以下の実施例に従って説明する。
【００１７】
図１は、本実施例の採血管準備装置１を正面側から見た斜視図である。採血管準備装置１は、所要の採血管にラベルを貼付して排出する本体部２と、本体部２から排出されるラベル貼付済の採血管を、トレイに収容する回収部３とを備えている。
【００１８】
本体部２は、図２に示すように、上下に長尺な直方体形状をなす筐体４を備えている。筐体４の内部には、採血管を収容する収容装置５ａ，５ｂと、ラベルを印刷して採血管に貼付するラベル印刷貼付装置６とが複数収納され、筐体４の正面には、収容装置５ａ，５ｂとラベル印刷貼付装置６に夫々取り付けられた前面パネル９ａ，９ｂが露出している。また、筐体４の右側面を覆うパネル９には、ラベル貼付済の採血管を排出する採血管排出口７が形成され、さらに、筐体４の上には、各種の情報を表示するモニタ８が配設される。
【００１９】
回収部３は、図１，３に示すように、本体部２の右側に隣接するように設置され、本体部２の採血管排出口７の直下に当たる位置を、採血管をトレイＸに収納する採血管回収位置Ｐとしている。そして、回収部３は、採血管回収位置Ｐに空のトレイＸを供給するトレイ供給装置１０と、採血管収容済みのトレイＸを採血管回収位置Ｐから排出するトレイ排出装置１１と、採血管に貼付しない印刷物を印刷してトレイＸに送出する非貼付用紙印刷装置１３とを備えている。具体的には、トレイ供給装置１０は、空のトレイＸを積み重ねて収容するトレイ収容部１４と、トレイ収容部１４に収容されたトレイＸを、送出装置（図示省略）によって一つずつ採血管回収位置Ｐに送り出すものである。また、トレイ排出装置１１は、前後方向のベルトコンベアであり、採血管回収位置Ｐで採血管を収容したトレイＸは、トレイ排出装置１１によって採血管回収位置Ｐの前方に移送される。また、非貼付用紙印刷装置１３は、採血管回収位置Ｐの上方に配設されており、手貼りラベルや採血管指示書等を印刷・切断して、採血管回収位置Ｐに載置されたトレイＸに落下させる。
【００２０】
また、回収部３の下部には、採血管準備装置１の作動を統括する制御装置（図示省略）が配設される。制御装置は、採血する患者の情報や、採血に使用する採血管の種類などを含む採血準備情報を外部から受信し、採血準備情報を受信すると、ラベル印刷貼付装置６等を作動させて、所要情報を印刷したラベルを所要の採血管に貼付して、採血管排出口７から排出する。また、これと同時に、制御装置は、採血管回収位置Ｐに空のトレイＸを待機させ、患者一人分の採血管をトレイＸに収容すると、採血管回収位置ＰからトレイＸを排出するとともに、空のトレイＸを採血管回収位置Ｐに供給する。
【００２１】
このように、採血管準備装置１は、外部から送信される採血準備情報に基づいて、採血に使用する採血管に所要の情報等を印刷したラベルを貼付して、患者一人分の採血管を一トレイに収容する。この採血管準備装置１の基本的な構成は、特許文献１に記載される既存装置と共通するため、詳細な説明は省略する。
【００２２】
次に、本体部２の構成について詳細を説明する。図４，５は、筐体４表面のパネル９と、収容装置５ａ，５ｂ及びラベル印刷貼付装置６の前面パネル９ａ，９ｂ（図２参照）とを除去して、本体部２の内部構造を示したものである。収容装置５ａ，５ｂとラベル印刷貼付装置６は、前後に長尺な略直方体形状にユニット化されており、筐体４のフレーム１６の内部に収納されている。具体的には、フレーム１６の上部に、三台のラベル印刷貼付装置６が横並びに収納され、各ラベル印刷貼付装置６の上に、収容装置（上部収容装置）５ａが１台ずつ隣設される。そして、各ラベル印刷貼付装置６の下方には、収容装置（下部収容装置）５ｂが三台ずつ段設される。
【００２３】
ラベル印刷貼付装置６は、本発明に係るラベル印刷装置６０とラベル貼付装置６１とを一体化したものである。図６，７に示すように、ラベル印刷装置６０は、ラベル印刷貼付装置６の前部から中央部に配設されており、ラベル貼付装置６１は、ラベル印刷貼付装置６の後部に配設される。具体的には、図７に示すように、ラベル印刷装置６０は、ラベル用紙のロールを保持するロール保持部６２と、該ロール保持部６２から後方に引き出したラベル用紙に印刷を行う印刷部６３と、印刷済みラベルから剥離紙を剥離する剥離部６４と、剥離した剥離紙を巻き取る剥離紙回収部６５とを備えている。一方、ラベル貼付装置６１は、剥離部６４から供給される剥離済みラベルを採血管Ｙに貼付する貼付部６６と、ラベル貼付済の採血管Ｙを排出する排出コンベア６７と、ラベル貼付前の採血管Ｙを外部から受け取る受取部６８と、採血管Ｙの向きを検知する方向検知部７０とを備えている。
詳述すると、受取部６８は、一本の採血管Ｙを収容可能な大きさをなし、ラベル貼付装置６１の上部に配設される皿状体であり、後述するように、収容装置５ａ，５ｂの採血管Ｙは、この受取部６８へ移送される。受取部６８に収容された採血管Ｙは、押出ソレノイド６９の作動によって所要のタイミングで受取部６８の前方に押し出され、方向検知部７０を経由して貼付部６６に供給される。排出コンベア６７は貼付部６６の直下に配設された左右方向のコンベアであり、各ラベル貼付装置６１に配設された排出コンベア６７が連なることで、採血管排出口７までの運搬経路を形成している。すなわち、ラベル貼付済の採血管Ｙは、貼付部６６から排出コンベア６７の上に落とされて、採血管排出口７へと搬出される。なお、かかるラベル印刷貼付装置６の構成は、従来構成と同様であるため、詳細な説明は省略する。
【００２４】
また、図８，９に示すように、筐体４の背面側には、下部収容装置５ｂの採血管Ｙをラベル貼付装置６１に移送する下部移送装置２０が配設される。この下部移送装置２０は、左右三列に配設された下部収容装置５ｂの各列に一台ずつ配設される。各下部移送装置２０は、図９に示すように、採血管Ｙを揚送する第一機構部２１と、揚送された採血管Ｙをラベル貼付装置６１の受取部６８に送出する第二機構部２２とで構成される。
【００２５】
第一機構部２１は、採血管Ｙを載せる複数の乗載板片２３と、該乗載板片２３を上方に移送する揚送コンベア２４とを備えており、図１１に示すように、下部収容装置５ｂから送出される採血管Ｙを乗載板片２３の上に受け取って揚送する。また、揚送コンベア２４の上部には前方に迫り出した押出ガイド２５が配設されており、揚送コンベア２４によって揚送された採血管Ｙは、押出ガイド２５に当接し、その案内作用によって乗載板片２３の上から前方に転がり落ちるよう構成されている。
【００２６】
第二機構部２２は、図１０，１１に示すように、一本の採血管Ｙを収容可能な待機部２６を備えている。押出ガイド２５によって乗載板片２３から転がり落ちた採血管Ｙは、この待機部２６に落下する。待機部２６の前後を仕切る壁板２７は、前方向に移動可能に設けられており、壁板２７を前方に駆動させると、待機部２６に保持された採血管Ｙが前方に転がり落ちて、下方に位置する前記受取部６８に収容されるよう構成されている。また、待機部２６の底部には、左右方向の水平コンベア２８が設けられている。採血管移送先のラベル印刷貼付装置６が用紙切れなどで停止している場合には、この水平コンベア２８を駆動させて、隣の下部移送装置２０の待機部２６に採血管Ｙを搬送することで、当該採血管Ｙを他のラベル印刷貼付装置６に供給することができる。
【００２７】
以下に、本発明の要部に係る収容装置５ａ，５ｂのうち、ラベル印刷貼付装置６の下方に配設された下部収容装置５ｂの構成について説明する。
【００２８】
下部収容装置５ｂは、図１２，１３に示すように、上方が開放した固定ケース３０と可動ケース３１とを、スライド機構３２，３２によって前後にスライド可能に連結してなるものである。固定ケース３０は、筐体４のフレーム１６に固定されており、可動ケース３１は、固定ケース３０の前側に近接する収納状態（図１２参照）と、固定ケース３０の前方に離間する引出状態（図１３参照）とに変換可能に構成されている。そして、図１に示すように、可動ケース３１の収納状態αでは、固定ケース３０と可動ケース３１が筐体４に収納され、可動ケース３１の前面に取り付けられた前面パネル９ａの把手を前方に引いて、可動ケース３１を引出状態βに変換すると、可動ケース３１が筐体４の前方に引き出されて、可動ケース３１に採血管を追加投入可能となる。
【００２９】
固定ケース３０は、図１４，１５に示すように、前側の上側縁から後下方に向けて下り傾斜する傾斜底部３３が形成されたケース体であり、その後下隅には、採血管Ｙを送出可能な送出開口部３４が形成され、該送出開口部３４には、採血管Ｙを一本ずつ下部移送装置２０へ送出する送出機構３５が配設される。
【００３０】
送出機構３５は、図１４，１５に示すように、採血管Ｙを取り込む取込ローラー３６と、該取込ローラー３６を回転させる送出モーター３７と、取込ローラー３６が取り込んだ採血管Ｙを下部移送装置２０へ案内するガイド３９とを備えている。取込ローラー３６は、採血管一本を収容可能な大きさの収容凹部３８を外周部に備え、送出開口部３４を閉塞するように配設されており、送出モーター３７が取込ローラー３６を回転駆動すると、図１５（ａ）に示すように、送出開口部３４近くの採血管Ｙが収容凹部３８に転がり込み、該収容凹部３８が後方に移動した位置で採血管Ｙが放出され、ガイド３９の案内作用によって、下部移送装置２０の乗載板片２３の上に滑り落ちるように案内される。このように、下部収容装置５ｂでは、固定ケース３０内の採血管Ｙは、傾斜底部３３の斜面に沿って固定ケース３０の後下隅に移動し、送出機構３５によって一本ずつ下部移送装置２０へ送出される。
【００３１】
可動ケース３１は、図１４，１５に示すように、固定ケース３０の２〜３倍程度の前後長を有するケース体であり、固定ケース３０よりも多量の採血管Ｙを収容可能となっている。可動ケース３１の底部には、可動ケース３１内の採血管Ｙを固定ケース３０へ供給する供給機構４０が配設される。供給機構４０は、可動ケース３１の底部の、前端から中央部にかけて設けられた略平坦な第一コンベア４０ａと、該第一コンベア４０ａの後端から、可動ケース３１の後上側縁まで上り傾斜する第二コンベア４０ｂとにより構成される。この供給機構４０の供給状態では、図１４，１５（ａ）に示すように、コンベア４０ａ，４０ｂが駆動することで、可動ケース３１内の採血管Ｙが、第一コンベア４０ａによって後方に移送され、さらに、第二コンベア４０ｂによって、後上側縁へと揚送される。そして、後上側縁まで揚送された採血管Ｙは、可動ケース３１の後上側縁と、該後上側縁に近接する固定ケース３０の前上側縁を越えて、可動ケース３１から固定ケース３０へと送出される。供給機構４０の供給停止状態では、コンベア４０ａ，４０ｂが停止することで、可動ケース３１内の採血管Ｙはケース内に留まることとなる。
【００３２】
また、固定ケース３０と可動ケース３１の内側面には、図１４，１５に示すように、各ケース内の採血管Ｙの残量を検知するための残量検知センサ４１ａ〜４１ｄが配設される。固定ケース３０の二つの残量検知センサ４１ａ，４１ｂは、夫々光センサからなり、一方の残量検知センサ４１ａは、送出開口部３４の直前位置に配設され、当該位置の採血管Ｙの有無を検知することで、固定ケース３０の採血管Ｙが、所定の要供給レベルを下回っているか否かを検知するのに用いられる。他方の残量検知センサ４１ｂは、ケース上部に配設され、当該位置の採血管Ｙの有無を検知することで、採血管Ｙの残量が所定の満杯レベルに達しているか否かを検知するのに用いられる。また、可動ケース３１の二つの残量検知センサ４１ｃ，４１ｄも光センサからなるものであり、第一コンベア４０ａの後端上方位置と、第一コンベア４０ａの中央部上方位置とに配設されて、当該位置の採血管Ｙの有無を検知することで、可動ケース３１内の採血管Ｙの残量を検知するのに用いられる。
【００３３】
また、図１５に示すように、固定ケース３０の下部前端には、可動ケース３１の位置を検知する引出状態検知センサ４２が配設される。引出状態検知センサ４２は、リミットスイッチからなり、可動ケース３１の収納状態では、可動ケース３１の後端部と接触してＯＮとなり、可動ケース３１の引出状態では、可動ケース３１の後端部が離間することでＯＦＦとなるよう構成されている。
【００３４】
また、図１５に示すように、固定ケース３０の前端部と、可動ケース３１の後端部とには、可動ケース３１の収納状態で、固定ケース３０から可動ケース３１を離間不能とするロック状態と、可動ケース３１を離間可能とする解除状態とに変換するロック装置４４が配設される。このロック装置４４は、制御装置により電気的に制御されており、通常は、可動ケース３１の収納状態でロック状態となり、前面パネル９ａに設けられたロック解除スイッチ４５が押圧操作されると解除状態に変換するよう構成されている。
【００３５】
以下に、下部収容装置５ｂの作動について説明する。
採血管準備装置１の稼働状態では、上述のように、採血準備情報に基づいて、採血に用いる採血管が収容装置５ａ，５ｂからラベル印刷貼付装置６に移送される。すなわち、下部収容装置５ｂに収容される採血管Ｙが必要となる度に、送出機構３５が固定ケース３０に収容された採血管Ｙを取り込んで、下部移送装置２０の乗載板片２３の上に送出し、当該採血管Ｙを下部移送装置２０がラベル印刷貼付装置６まで移送する。
【００３６】
ここで、採血管準備装置１の稼動時は、通常は、可動ケース３１は収納状態とされており、固定ケース３０内の採血管Ｙが少なくなると、供給機構４０によって可動ケース３１から固定ケース３０へ採血管Ｙが供給される。詳述すると、固定ケース３０内の採血管Ｙの残量が、上記要供給レベルを下回ると、供給機構４０が供給状態となって可動ケース３１から固定ケース３０に採血管Ｙが供給される。そして、採血管Ｙが上記満杯レベルを上回るまで供給されると、供給機構４０が供給停止状態となって、残量が再び要供給レベルを下回るまで、採血管Ｙの供給を停止するよう構成されている。
【００３７】
可動ケース３１から固定ケース３０に採血管Ｙが供給されて、可動ケース３１の採血管Ｙの残量が減少すると、まず、第一コンベア４０ａの中央部の残量検知センサ４１ｄがＯＦＦとなる。この時、モニタ８に、当該下部収容装置５ｂの残量が少なくなったことが報知される。そして、可動ケース３１の採血管Ｙの残量がさらに減少すると、第一コンベア４０ａの後端部の残量検知センサ４１ｃがＯＦＦとなる。この時は、モニタ８に、当該下部収容装置５ｂの可動ケース３１が空になったことが報知される。このように、採血管準備装置１は、可動ケース３１の採血管Ｙの残量減少を報知するが、可動ケース３１の採血管Ｙの残量に関わらず、固定ケース３０が空になるまでは稼働を継続する。
【００３８】
採血管準備装置１の稼働中は、ロック装置４４がロック状態となり、可動ケース３１は、前面パネル９ａの把手を引いても引き出せないよう係止される。稼働中に可動ケース３１を引き出す場合には、当該下部収容装置５ｂの前面パネル９ａに設けられたロック解除スイッチ４５（図１参照）の押圧操作が必要となる。ロック解除スイッチ４５を操作すると、制御装置が、まず、可動ケース３１の供給機構４０を供給停止状態とし、その後にロック装置４４をロック解除状態とすることで、可動ケース３１を筐体４から引出可能となる。
【００３９】
採血管準備装置１の稼働中に可動ケース３１を引き出すと、引出状態検知センサ４２がＯＦＦとなって、モニタ８に当該可動ケース３１が引き出されたことが報知される。しかしながら、かかる可動ケース３１の引出状態にあっても採血管準備装置１は停止せず、固定ケース３０が空にならない限りは、固定ケース３０から採血管Ｙを取り込んで稼働継続する。そして、引き出した可動ケース３１を筐体４に収納すると、引出状態検知センサ４２がＯＮとなり、これにより、ロック装置４４がロック状態に変換して可動ケース３１が引出不能に係止される。
【００４０】
次に、ラベル印刷貼付装置６の上に隣設される上部収容装置５ａの構成について説明する。この上部収容装置５ａは、上述の下部収容装置５ｂと比べて、固定ケース３０から採血管Ｙを送出する送出機構３５の構成のみが相違するものであり、その他の構成は同一であるため、構成の共通する部分については、図中で同一符号を用いて説明を省略する。上部収容装置５ａでは、図１６に示すように、送出機構３５は、固定ケース３０の送出開口部３４から取込ローラー３６の収容凹部３８に取り込んだ採血管Ｙを、送出開口部３４の直下に放出するよう構成される。そして、取込ローラー３６から放出された採血管Ｙは、放出位置の下方に配設された上部移送装置５０によって、ラベル印刷貼付装置６の受取部６８へと移送されるよう構成されている。上部移送装置５０は、採血管Ｙを受入可能な凹部を備えた管受部材５１と、該管受部材５１を、取込ローラー３６から凹部に採血管Ｙを受入可能とする上向き位置と、凹部に受け入れた採血管Ｙを受取部６８へ落下させる下向き位置とに変換駆動する変換モータ５２とからなるものである。このように、上部収容装置５ａは、上記下部収容装置５ｂと送出機構３５のみが異なるものであり、固定ケース３０や可動ケース３１、供給機構４０などのその他の構成は、下部収容装置５ｂと同じである。
【００４１】
以上のように、本実施例の採血管準備装置１では、収容装置５ａ，５ｂの可動ケース３１を筐体４から引き出して採血管Ｙを補充するよう構成されているが、可動ケース３１を引き出しても、採血管準備装置１は固定ケース３０から採血管Ｙを取り込むことで稼働し続けることができる。また、可動ケース３１を収納状態とすれば、可動ケース３１に補充した採血管Ｙを固定ケース３０に随時供給することができる。したがって、本実施例の採血管準備装置１によれば、稼働を停止させることなく採血管Ｙを補充することができ、従来よりも高い稼働効率を実現できる。
【００４２】
特に、本実施例では、可動ケース３１の収納状態にあって、可動ケース３１の後側の上側縁を固定ケース３０の前側の上側縁に近接させて、可動ケース３１の採血管Ｙを、コンベア４０ａ，４０ｂによって当該上側縁の高さに揚送して固定ケース３０へ送出するようにしているから、固定ケース３０と可動ケース３１とを略同じ高さ位置に配置して、収容装置５ａ，５ｂをコンパクトな構成とすることができる。
【００４３】
また、本実施例では、可動ケース３１の収納状態では、ロック装置４４によって可動ケース３１を引出不能とし、ロック解除スイッチ４５が操作された時に、まず、供給機構４０を供給停止状態としてから、ロック装置４４を解除状態に変換するようにしているから、採血管準備装置１の稼働中に可動ケース３１を引き出して固定ケース３０から分離させても、可動ケース３１から送出される採血管Ｙが固定ケース３０外に転がり出ることがない。
【００４４】
また、本実施例では、固定ケース３１の採血管Ｙの残量が所定の要供給レベルを下回ると、供給機構４０が供給状態となって可動ケース３１から固定ケース３０に採血管Ｙが供給され、固定ケース３１の採血管Ｙの残量が所定の満杯レベルを上回ると、供給機構４０が供給停止状態となって、固定ケース３０への採血管Ｙの供給が停止するよう構成されているため、固定ケース３０内に採血管Ｙを過不足なく収容することができ、これにより、収容装置５ａ，５ｂの採血管Ｙを移送装置２０，５０に滞り無く送り出すことができる。
【００４５】
なお、本発明の採血管準備装置は、上記実施例の形態に限らず本発明の要旨を逸脱しない範囲内において種々変更を加えることができる。例えば、上記実施例では、採血管準備装置１に配設される全ての収容装置５ａ，５ｂについて、採血管準備装置１の稼働を停止させることなく採血管を補充可能な構成となっているが、本発明の採血管準備装置は、少なくとも一部の収容装置に関して、採血管準備装置の稼働を停止させることなく採血管を補充可能な構成であればよい。採血管の使用頻度が高く、補充作業の回数が多い収容装置について、採血管準備装置の稼動を停止させずに採血管を補充可能とするだけでも、稼働効率を十分改善できるためである。
【００４６】
また、上記実施例では、可動ケース３１から固定ケース３０へ採血管Ｙを供給する供給機構４０を、可動ケース３１と固定ケース３０の上側縁を越えるように採血管Ｙを揚送する機構によって実現しているが、本発明に係る供給機構は、かかる構成に限らず、例えば、可動ケースと固定ケースの間に形成される採血管供給路と、該採血管供給路を開閉するシャッタとで構成することも提案される。すなわち、かかる構成では、可動ケースの収納状態で採血管供給路を開放することで、可動ケースから固定ケースに採血管が供給可能となり、また、採血管供給路を閉鎖することで、採血管供給路から採血管を流出させることなく、可動ケースを固定ケースから離間させることが可能となる。
【符号の説明】
【００４７】
１  採血管準備装置
２  本体部
３  回収部
４  筐体
５ａ  上部収容装置（収容装置）
５ｂ  下部収容装置（収容装置）
６  ラベル印刷貼付装置
１６  フレーム
２０  下部移送装置（移送装置）
２３  乗載板片
３０  固定ケース
３１  可動ケース
３２  スライド機構
３３  傾斜底部
３４  送出開口部
３５  送出機構
３６  取込ローラー
３７  送出モーター
３８  収容凹部
３９  ガイド
４０  供給機構
４０ａ  第一コンベア
４０ｂ  第二コンベア
４１ａ〜４１ｄ  残量検知センサ
４２  引出状態検知センサ
４４  ロック装置
４５  ロック解除スイッチ
５０  上部移送装置（移送装置）
６０  ラベル印刷装置
６１  ラベル貼付装置
６８  受取部
α  収納状態
β  引出状態
Ｘ  トレイ
Ｙ  採血管
【図１】
0005781369.tif 000002
【図２】
0005781369.tif 000003
【図３】
0005781369.tif 000004
【図４】
0005781369.tif 000005
【図５】
0005781369.tif 000006
【図６】
0005781369.tif 000007
【図７】
0005781369.tif 000008
【図８】
0005781369.tif 000009
【図９】
0005781369.tif 000010
【図１０】
0005781369.tif 000011
【図１１】
0005781369.tif 000012
【図１２】
0005781369.tif 000013
【図１３】
0005781369.tif 000014
【図１４】
0005781369.tif 000015
【図１５】
0005781369.tif 000016
【図１６】
0005781369.tif 000017